(57)【要約】      （修正有）【課題】ライフサイクルが長く、洗浄性に優れると共に、経済性に優れるベローズを提供する。【解決手段】本発明のベローズ５は、蛇腹状に形成された筒状体６からなり、該筒状体６は、薄板状又は膜状の環よりなる上側板体部７ａと下側板体部７ｂとが外縁８ａ、８ｂで密閉に連結されて形成された蛇腹素子７の複数が、上下方向に配置されると共に、互いに隣接する蛇腹素子７において、上方の蛇腹素子７の下側板体部７ｂの内縁９ｂと下方の蛇腹素子７の上側板体部７ａの内縁９ａとが密閉に連結されなり、該連結された、前記筒状体６の外側の谷折り部１０が弧状に形成されていることを特徴とする。また、前記各蛇腹素子７の上側板体部７ａの上面７ｃが、内縁から外縁に向かうに従って徐々に下方に傾斜して形成されることを特徴とする。【選択図】図２
2017150629.tif 000002
【特許請求の範囲】
【請求項１】
蛇腹状に形成された筒状体からなり、
該筒状体は、薄板状又は膜状の環よりなる上側板体部と下側板体部とが外縁で密閉に連結されて形成された蛇腹素子の複数が、上下方向に配置されると共に、互いに隣接する蛇腹素子において、上方の蛇腹素子の下側板体部の内縁と下方の蛇腹素子の上側板体部の内縁とが密閉に連結されなり、
前記各蛇腹素子の上側板体部の上面が、内縁から外縁に向かうに従って徐々に下方に傾斜して形成されることを特徴とするベローズ。
【請求項２】
蛇腹状に形成された筒状体からなり、
該筒状体は、薄板状又は膜状の環よりなる上側板体部と下側板体部とが外縁で密閉に連結されて形成された蛇腹素子の複数が、上下方向に配置されると共に、互いに隣接する蛇腹素子において、上方の蛇腹素子の下側板体部の内縁と下方の蛇腹素子の上側板体部の内縁とが密閉に連結されなり、
該連結された、前記筒状体の外側の谷折り部が弧状に形成されていることを特徴とするベローズ。
【請求項３】
前記各蛇腹素子の上側板体部の上面が、内縁から外縁に向かうに従って徐々に下方に傾斜して形成されることを特徴とする請求項２に記載のベローズ。
【請求項４】
外縁で連結された前記上側板体部と下側板体部とよりなる蛇腹素子は、上面が内縁から外縁に向かって徐々に下方に傾斜した板状又は膜状の環体と、該環体の内周面から外周面の近傍まで半径方向に設けた切り込みとよりなることを特徴とする請求項１、２または３に記載のベローズ。
【請求項５】
前記上側板体部及び前記下側板体部は、薄板状又は膜状の円環よりなることを特徴とする請求項１、２、３または４に記載のベローズ。
【請求項６】
撹拌槽と、
該撹拌槽の天井部を貫通して設けた、上下往復動する駆動軸と、
該駆動軸に設けた撹拌翼と、
前記撹拌槽の天井部と前記駆動軸とを密閉に固定したベローズとよりなり、
該ベローズは、蛇腹状に形成された筒状体からなり、
該筒状体は、薄板状又は膜状の環よりなる上側板体部と下側板体部とが外縁で密閉に連結されて形成された蛇腹素子の複数が、上下方向に配置されると共に、互いに隣接する蛇腹素子において、上方の蛇腹素子の下側板体部の内縁と下方の蛇腹素子の上側板体部の内縁とが密閉に連結されなり、
該連結された、前記筒状体の外側の谷折り部が弧状に形成されると共に、前記各蛇腹素子の上側板体部の上面が、内縁から外縁に向かうに従って徐々に下方に傾斜して形成されることを特徴とする撹拌装置。
【発明の詳細な説明】
【技術分野】
【０００１】
本発明は、特に、撹拌翼を上下往復動させることによって密閉式撹拌槽内の内容物（被撹拌物）を撹拌する撹拌装置に用いられるベローズに関するものである。
【背景技術】
【０００２】
医薬や食品、ファインケミカル用途において、撹拌槽内を外部から完全に分離して、外部からのコンタミネーション（汚染）を防止すると共に、該撹拌槽内の内容物を、撹拌翼を上下往復動させて撹拌させる密閉式撹拌装置がある（特許文献１）。
【０００３】
前記撹拌装置の往復動を行う駆動軸をシールするものとして、例えば、図５〜図７に示すように、伸縮するベローズａがある。
【０００４】
かかるベローズａとしては、例えば、テフロン（登録商標）などの樹脂材料からなる蛇腹状に形成された筒状体があり、該蛇腹状に形成された筒状体は、例えば、図５に示すように、円筒体ｂに、該筒状体ｂの外周面ｂ１及び内周面ｂ２から上下方向において交互に所望の間隔離間して、それぞれ半径方向（水平方向）に円環状の複数の切り込み部ｃを入れて形成され、製造容易で作成コストが抑えられている。
【０００５】
また、前記ベローズａは、上下往復動する駆動軸に従って、図５に示す前記ベローズａが縮小された状態と、図６に示す前記ベローズａが伸長した状態とが交互に繰り返されるようになり、往復駆動する駆動軸をシールするものとしては、最適なものとして使用されている。
【先行技術文献】
【特許文献】
【０００６】
【特許文献１】特開２０１１−３１１９２号公報
【発明の概要】
【発明が解決しようとする課題】
【０００７】
しかしながら、前記ベローズａは、図７に示すように、伸び縮み運動による繰り返し荷重によって、鋭角に形成された切込み部ｄに亀裂が入り、そして破断に至り、寿命が短い（耐久性が低い）。
【０００８】
また、撹拌槽内の内容物に触れるベローズａの外表面ａ１は洗浄が必要であるが、該ベローズａの切込み部ｄは、極めて微小な隙間を有する構造であり、また、鋭角な切込み部ｄは、繰り返し使用により微細な亀裂が生じ、極めて狭い隙間を形成するため、洗浄が困難で汚染リスクが高い。
【０００９】
従って、医薬等の分野においては、前記ベローズａは、密閉式往復動撹拌装置のベローズとしては用いられていないのが現状である。
【００１０】
本発明は、このような事情に鑑みてなされたものであり、ライフサイクルが長く、洗浄性に優れると共に、経済性に優れるベローズを提供するものである。
【課題を解決するための手段】
【００１１】
前記の目的を達成すべく、本発明のベローズは、蛇腹状に形成された筒状体からなり、該筒状体は、薄板状又は膜状の環よりなる上側板体部と下側板体部とが外縁で密閉に連結されて形成された蛇腹素子の複数が、上下方向に配置されると共に、互いに隣接する蛇腹素子において、上方の蛇腹素子の下側板体部の内縁と下方の蛇腹素子の上側板体部の内縁とが密閉に連結されなり、前記各蛇腹素子の上側板体部の上面が、内縁から外縁に向かうに従って徐々に下方に傾斜して形成されることを特徴とする。
【００１２】
また、本発明のベローズは、蛇腹状に形成された筒状体からなり、該筒状体は、薄板状又は膜状の環よりなる上側板体部と下側板体部とが外縁で密閉に連結されて形成された蛇腹素子の複数が、上下方向に配置されると共に、互いに隣接する蛇腹素子において、上方の蛇腹素子の下側板体部の内縁と下方の蛇腹素子の上側板体部の内縁とが密閉に連結されなり、該連結された、前記筒状体の外側の谷折り部が弧状に形成されていることを特徴とする。
【００１３】
また、前記各蛇腹素子の上側板体部の上面が、内縁から外縁に向かうに従って徐々に下方に傾斜して形成されることを特徴とする。
【００１４】
また、外縁で連結された前記上側板体部と下側板体部とよりなる蛇腹素子は、上面が内縁から外縁に向かって徐々に下方に傾斜した板状又は膜状の環体と、該環体の内周面から外周面の近傍まで半径方向に設けた切り込みとよりなることを特徴とする。
【００１５】
また、前記上側板体部及び前記下側板体部は、薄板状又は膜状の円環よりなることを特徴とする。
【００１６】
また、本発明の撹拌装置は、撹拌槽と、該撹拌槽の天井部を貫通して設けた、上下往復動する駆動軸と、該駆動軸に設けた撹拌翼と、前記撹拌槽の天井部と前記駆動軸とを密閉に固定したベローズとよりなり、該ベローズは、蛇腹状に形成された筒状体からなり、該筒状体は、薄板状又は膜状の環よりなる上側板体部と下側板体部とが外縁で密閉に連結されて形成された蛇腹素子の複数が、上下方向に配置されると共に、互いに隣接する蛇腹素子において、上方の蛇腹素子の下側板体部の内縁と下方の蛇腹素子の上側板体部の内縁とが密閉に連結されなり、該連結された、前記筒状体の外側の谷折り部が弧状に形成されると共に、前記各蛇腹素子の上側板体部の上面が、内縁から外縁に向かうに従って徐々に下方に傾斜して形成されることを特徴とする。
【発明の効果】
【００１７】
本発明においては、ライフサイクルが長く、洗浄性に優れると共に、経済性に優れるようになる。
【図面の簡単な説明】
【００１８】
【図１】本発明のベローズを用いた撹拌装置の縦断正面図である。実施例１の曝気撹拌装置の縦断側面図である。
【図２】本発明のベローズの一部の拡大縦断正面図である。
【図３】本発明のベローズの伸長状態を示す縦断正面図である。
【図４】図３のベローズの一部拡大縦断正面図である。
【図５】従来のベローズの縦断正面図である。
【図６】従来のベローズの伸長状態の縦断正面図である。
【図７】図６のベローズの一部拡大縦断正面図である。
【発明を実施するための形態】
【００１９】
本発明を実施するための形態の実施例を以下に示す。
【実施例１】
【００２０】
以下、図面によって本発明の実施例を説明する。
【００２１】
図１は、本発明のベローズを用いた密閉式往復動撹拌装置１の縦断正面図である。
【００２２】
２は、撹拌槽を示し、該撹拌槽２は、円筒状の胴部からなり、天井板２ａの中央部に撹拌軸貫通用の開口部２ｂが形成されている。
【００２３】
３は、駆動軸を示し、該駆動軸３は、その上部において図示しない上下動装置、例えば往復駆動式モータに垂設されており、該駆動軸３の中間部で前記開口部２ｂを貫通して設けられている。
【００２４】
４は、撹拌翼を示し、該撹拌翼４は、例えば、楕円の板状体からなり、前記駆動軸３の中間部又は下端部に直交するように連結固定されている。
【００２５】
５は、ベローズを示し、該ベローズ５は、蛇腹状に形成された筒状体６からなり、該筒状体６の上端開口部６ａが前記天井板２ａの下面の前記開口部２ｂの縁部に気密又は液密に固定され、また、下端開口部６ｂが前記駆動軸３の側面に気密又は液密に固定され、これにより、前記ベローズ５が前記撹拌槽２の内外を密閉して覆うと共に、前記駆動軸３の上下動に従って、前記筒状体６が図２及び図４に示すように、上下方向に伸縮するように形成されている。
【００２６】
また、前記ベローズ５の蛇腹状の筒状体６は、図２に示すように、上下に複数、密閉して連結された蛇腹素子７よりなり、該蛇腹素子７は、薄板状又は膜状の円環よりなる上側板体部７ａと下側板体部７ｂとが、該上側板体部７ａの外縁８ａと該下側板体部７ｂの外縁８ｂとで気密又は液密に連結されて形成され、また、上下に互いに隣接する蛇腹素子７、７は、上方の蛇腹素子７の下側板体部７ｂの内縁９ｂと、下方の蛇腹素子７の上側板体部７ａの内縁９ａとが気密又は液密に連結されて形成されると共に、該連結部の前記筒状体６の外側の谷折り部１０は円弧又は楕円等の弧状に形成されている。
【００２７】
また、前記各蛇腹素子７の上側板体部７ａの上面７ｃは、例えば、円錐台状に、内縁９ａから外縁８ａに向かうに従って徐々に下方に傾斜して形成される。
【００２８】
なお、前記各蛇腹素子７を、一枚の上面が内縁から外縁に向かって徐々に下方に傾斜した板状又は膜状の円錐台状の円環体と、該円環体の内縁内周面から外縁外周面の近傍まで半径方向（水平方向）に設けた円環状の切り込みとにより形成することにより、製造容易で作成コストを抑えることができる。
【００２９】
次に本実施例のベローズを用いた密閉式往復動撹拌装置１の作動及びその効果について説明する。
【００３０】
図２に示すように、前記ベローズ５は、前記駆動軸３の上死点において、上下方向に力が加わっていない縮小状態となり、また、図３に示すように、前記駆動軸３の下死点において、前記ベローズ５は伸長状態となり、前記駆動軸３の上下動に従って、前記ベローズ５は、伸縮するようになる。
【００３１】
この際、図４に示すように、前記筒状体６の外側の谷折り部１０が弧状に形成されているので、例えば、１００万回繰り返し運転しても破損がなく、従って、前記筒状体６の外表面の洗浄が容易となる。
【００３２】
なお、前記筒状体６内側の谷折り部１１は、鋭角状に形成されているが、洗浄とは関係なく、また、繰り返し使用により、該谷折り部１１に多少亀裂が入ったとしても、洗浄に関係がないので、問題はない。
【００３３】
また、前記各蛇腹素子７の上面７ｃを、内縁から外縁に向かうに従って下へ勾配を設けたため、洗浄液が下に流れるようになり、洗浄効果が高めることができるようになる。
【００３４】
本願発明によれば、作成コストを抑えると共に、ライフサイクルが長く、しかも洗浄性に優れるベローズを優れるベローズ及びこのベローズを用いた密閉式往復動撹拌装置を提供することができるようになる。
【産業上の利用可能性】
【００３５】
本発明は、主として、医薬や食品、ファインケミカルの分野の撹拌に利用される。
【符号の説明】
【００３６】
１      密閉式往復動撹拌装置
２      撹拌槽
２ａ    天井板
２ｂ    開口部
３      駆動軸
４      撹拌翼
５      ベローズ
６      筒状体
６ａ    上端開口部
６ａ    下端開口部
７      蛇腹素子
７ａ    上側板体部
７ｂ    下側板体部
７ｃ    上面
８ａ    外縁
８ｂ    外縁
９ａ    内縁
９ａ    内縁
１０    谷折り部
１１    谷折り部
【図１】
2017150629.tif 000003
【図２】
2017150629.tif 000004
【図３】
2017150629.tif 000005
【図４】
2017150629.tif 000006
【図５】
2017150629.tif 000007
【図６】
2017150629.tif 000008
【図７】
2017150629.tif 000009